【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
印刷処理を実行する印刷装置と、前記印刷処理が実行されたシートにシート処理を実行するシート処理装置とを有する印刷システムであって、
前記シート処理装置においてジャムが発生したことを検知する検知手段と、
第１のジョブに基づく前記シート処理の実行中に前記シート処理装置においてジャムが発生したことを前記検知手段が検知した場合に、前記第１の印刷ジョブのリカバリ処理を実行するリカバリ手段と、
前記第１のジョブに基づく前記シート処理の実行中に前記シート処理装置においてジャムが発生したことを前記検知手段が検知した場合に、前記第１のジョブの後続の第２のジョブに基づく前記印刷処理を実行中であるか否かを判定する判定手段と、
リカバリ処理を他のジョブより優先して実行するか否かを選択する選択手段とを備え、
前記第２のジョブに基づく前記印刷処理を実行中であると前記判定手段によって判定され、かつ、リカバリ処理を他のジョブより優先して実行すると前記選択手段によって選択された場合、前記リカバリ手段は、実行中の前記第２のジョブに基づく前記印刷処理を中断して前記第１の印刷ジョブのリカバリ処理を実行し、
前記第２のジョブに基づく前記印刷処理を実行中であると前記判定手段によって判定され、かつ、リカバリ処理を他のジョブより優先して実行しないと前記選択手段によって選択された場合、前記リカバリ手段は、前記第２のジョブに基づく前記印刷処理が完了した後に前記第１の印刷ジョブのリカバリ処理を実行することを特徴とする印刷システム。
【請求項２】
リカバリ処理を他のジョブより優先して実行するか否かをユーザが選択するための選択画面を表示する表示手段を更に備え、
前記選択手段は、前記選択画面を介して入力されたユーザ指示に基づいて、リカバリ処理を他のジョブより優先して実行するか否かを選択することを特徴とする請求項１に記載の印刷システム。
【請求項３】
前記表示手段は、前記第２のジョブに基づく前記印刷処理を実行中であると前記判定手段によって判定された場合に、前記選択画面を表示することを特徴とする請求項２に記載の印刷システム。
【請求項４】
前記第１のジョブに関する印刷データを記憶する記憶手段を更に備え、
前記リカバリ手段は、前記記憶手段が記憶している前記印刷データに基づいて、前記第１の印刷ジョブのリカバリ処理を実行することを特徴とする請求項１乃至３のいずれか１項に記載の印刷システム。
【請求項５】
前記シート処理装置は、中綴じ製本処理を実行可能な中綴じ製本機であることを特徴とする請求項１乃至４のいずれか１項に記載の印刷システム。
【請求項６】
印刷処理を実行する印刷装置と、前記印刷処理が実行されたシートにシート処理を実行するシート処理装置とを有する印刷システムの制御方法であって、
前記シート処理装置においてジャムが発生したことを検知する検知工程と、
第１のジョブに基づく前記シート処理の実行中に前記シート処理装置においてジャムが発生したことを前記検知工程で検知した場合に、前記第１の印刷ジョブのリカバリ処理を実行するリカバリ工程と、
前記第１のジョブに基づく前記シート処理の実行中に前記シート処理装置においてジャムが発生したことを前記検知工程で検知した場合に、前記第１のジョブの後続の第２のジョブに基づく前記印刷処理を実行中であるか否かを判定する判定工程と、
リカバリ処理を他のジョブより優先して実行するか否かを選択する選択工程とを備え、
前記第２のジョブに基づく前記印刷処理を実行中であると前記判定工程によって判定され、かつ、リカバリ処理を他のジョブより優先して実行すると前記選択工程によって選択された場合、前記リカバリ工程は、実行中の前記第２のジョブに基づく前記印刷処理を中断して前記第１の印刷ジョブのリカバリ処理を実行し、
前記第２のジョブに基づく前記印刷処理を実行中であると前記判定工程によって判定され、かつ、リカバリ処理を他のジョブより優先して実行しないと前記選択工程によって選択された場合、前記リカバリ工程は、前記第２のジョブに基づく前記印刷処理が完了した後に前記第１の印刷ジョブのリカバリ処理を実行することを特徴とする印刷システムの制御方法。
【請求項７】
請求項６に記載の印刷システムの制御方法をコンピュータに実行させるためのプログラム。
【手続補正２】
【補正対象書類名】明細書
【補正対象項目名】０００９
【補正方法】変更
【補正の内容】
【０００９】
本発明の目的は、複数の印刷ジョブを処理中に、束ジャムが発生した場合、リカバリ処理を優先させるか否かを切り替え可能な仕組みを提供することである。
【手続補正３】
【補正対象書類名】明細書
【補正対象項目名】００１０
【補正方法】変更
【補正の内容】
【００１０】
上記目的を達成する本発明の印刷システムは以下に示す構成を備える。
印刷処理を実行する印刷装置と、前記印刷処理が実行されたシートにシート処理を実行するシート処理装置とを有する印刷システムであって、前記シート処理装置においてジャムが発生したことを検知する検知手段と、第１のジョブに基づく前記シート処理の実行中に前記シート処理装置においてジャムが発生したことを前記検知手段が検知した場合に、前記第１の印刷ジョブのリカバリ処理を実行するリカバリ手段と、前記第１のジョブに基づく前記シート処理の実行中に前記シート処理装置においてジャムが発生したことを前記検知手段が検知した場合に、前記第１のジョブの後続の第２のジョブに基づく前記印刷処理を実行中であるか否かを判定する判定手段と、リカバリ処理を他のジョブより優先して実行するか否かを選択する選択手段とを備え、前記第２のジョブに基づく前記印刷処理を実行中であると前記判定手段によって判定され、かつ、リカバリ処理を他のジョブより優先して実行すると前記選択手段によって選択された場合、前記リカバリ手段は、実行中の前記第２のジョブに基づく前記印刷処理を中断して前記第１の印刷ジョブのリカバリ処理を実行し、前記第２のジョブに基づく前記印刷処理を実行中であると前記判定手段によって判定され、かつ、リカバリ処理を他のジョブより優先して実行しないと前記選択手段によって選択された場合、前記リカバリ手段は、前記第２のジョブに基づく前記印刷処理が完了した後に前記第１の印刷ジョブのリカバリ処理を実行することを特徴とする。
【手続補正４】
【補正対象書類名】明細書
【補正対象項目名】００１１
【補正方法】変更
【補正の内容】
【００１１】
本発明によれば、複数の印刷ジョブを処理中に、束ジャムが発生した場合、リカバリ処理を優先させるか否かを切り替えることができる。
【手続補正５】
【補正対象書類名】明細書
【補正対象項目名】００２６
【補正方法】変更
【補正の内容】
【００２６】
図２において、印刷装置１００は、自装置内部に複数の処理対象となるジョブのデータを記憶可能なハードディスク２０９（以下、ＨＤＤとも呼ぶ）等の不揮発性メモリを具備する。且つ、印刷装置１００自身が具備するスキャナ部２０１から受付けたジョブデータを該ＨＤＤを介してプリンタ部２０３で印刷するコピー機能を具備する。且つ、サーバ１０３、クライアント１０４などの外部装置から通信部の一例に該当する外部Ｉ／Ｆ部２０２ユニットを介して受付けたジョブデータを該ＨＤＤを介してプリンタ部２０３で印刷する印刷機能を具備する。このような複数の機能を具備したＭＰＦタイプの印刷装置（画像形成装置とも呼ぶ）である。
【手続補正６】
【補正対象書類名】明細書
【補正対象項目名】００３０
【補正方法】変更
【補正の内容】
【００３０】
本印刷システム１０００が具備する制御部の一例に該当するコントローラ部（制御部、或いはＣＰＵ）２０５は、本印刷システム１０００が具備する各種ユニットの処理や動作を統括的に制御する。ＲＯＭ２０７には、後述するフローチャートの各種処理等を実行するためのプログラムを含む本形態にて要する各種の制御プログラムが記憶されている。また、ＲＯＭ２０７には、図示しているユーザインタフェース画面（以下、ＵＩ画面と呼ぶ）を含む、操作部２０４の表示部に各種ＵＩ画面を表示させるための表示制御プログラムも記憶されている。
【手続補正７】
【補正対象書類名】明細書
【補正対象項目名】００５３
【補正方法】変更
【補正の内容】
【００５３】
また、中綴じ製本機２００ｃの排紙部３３７にはシート検知センサＮが備えられる。シート検知センサＮは、排紙部３３７に排紙されたシートを検知し、シート排紙信号をＣＰＵ２０５Ａに送信する。ＣＰＵ２０５Ａは、シート排紙信号に従って、印刷処理中の印刷ジョブの全てのシートが排紙されたかを判断し、全てのシートが排紙されたと判断するとＨＤＤ２０９に保存していた印刷ジョブを削除する。
また、ＣＰＵ２０５Ａは、受け取ったシート排紙信号に従って、排紙されたシートの枚数をカウントし、カウントした値をＲＡＭ２０８に保持しておく。それによって、ＣＰＵ２０５Ａは、ジョブを実行することによって排紙部３３７に排紙されたシートの枚数を把握することができる。また、中綴じ製本機２００ｃは、中綴じ製本処理部を備え、中綴じ製本処理を行うジョブが実行されると、中綴じ製本処理を行うシート枚数が揃うまで中綴じ製本処理部に蓄えられる。
この中綴じ製本処理部は、シート検知センサＰが備えられる。シート検知センサＰは中綴じ製本処理部に蓄えられたシートを検知し、シート蓄積信号をＣＰＵ２０５Ａに送信する。更に、ＣＰＵ２０５Ａは、中綴じ製本処理を実行するシート枚数が中綴じ製本処理部に蓄えられたことを検知すると、中綴じ製本処理の実行を指示する。
中綴じ製本機２００ｃは、中綴じ製本処理の実行指示を受け付けると、中綴じ製本束を作成し、中綴じ製本束排紙部３３９に製本束を排紙する。中綴じ製本束排紙部３３９は、シート検知センサＱを備え、このシート検知センサＱは、中綴じ製本束の排紙を検知し、ＣＰＵ２０５Ａに束排紙信号を送信する。ＣＰＵ２０５Ａは、受け取った束排紙信号に従って、印刷処理中の印刷ジョブの全ての束が排紙されたかを判断し、全ての束が排紙されたと判断すると、ＨＤＤ２０９に保存していた印刷ジョブを削除する。また、ＣＰＵ２０５Ａは、シート検知センサＱの出力に基づいてシート後処理機能が異なる複数の印刷ジョブを連続して処理する際、シート束に対する後処理中の束ジャムを検知可能に構成されている。
【手続補正８】
【補正対象書類名】明細書
【補正対象項目名】００５７
【補正方法】変更
【補正の内容】
【００５７】
図４は、図２に示した操作部２０４の構成を説明する平面図である。
図４において、操作部２０４は、ハードキーによるユーザ操作を受付け可能なキー入力部４０２、ソフトキー（表示キー）によるユーザ操作を受付可能な表示ユニットの一例としてのタッチパネル部４０１を有する。
以上のような構成を前提とし、本印刷システム１０００が具備する制御部の一例に該当するＣＰＵ２０５Ａは、以下に例示の制御を実行する。
［本形態にて好適な第１実施形態］
【手続補正９】
【補正対象書類名】明細書
【補正対象項目名】００７９
【補正方法】変更
【補正の内容】
【００７９】
図７、本実施形態を示す印刷システムのデータ処理手順を示すフローチャートである。本例は、束ジャム発生時のリカバリ処理例である。ここで、図７はＳ７０１からＳ７０９までの処理は第２実施形態と同様であるため、詳細な説明は省略する。また、図７は本実施形態においてＣＰＵ２０５Ａによって実行される処理を示すフローチャートであり、各ステップはＣＰＵ２０５ＡがＲＯＭ２０７から読み出して実行することによって行われる。
【手続補正１０】
【補正対象書類名】図面
【補正対象項目名】図３
【補正方法】変更
【補正の内容】
【図３】
2013210417.tif 000001